(57)【要約】【課題】  デジタル放送の送信局で放送の追加、削除が行われた場合や、放送のチャネルプランを変更する場合に、簡易な方法で放送視聴者に告知すること。【解決手段】  デジタル放送送信装置において放送の追加または削除、あるいは放送周波数の変更がされた場合に、デジタル放送送信装置からデジタル放送受信機に対してチャネルサーチの実行を促すチャネルサーチ告知情報として、番組配列情報のバージョン番号を利用し、デジタル放送受信機ではバージョン番号の更新をチャネルサーチの告知情報と判断する。【選択図】        図２
2005057404.tif 000002
【特許請求の範囲】
【請求項１】
デジタル放送を送信するデジタル放送送信装置と、デジタル放送を受信するデジタル放送受信機とを備えるデジタル放送システムにおいて、
前記デジタル放送送信装置において放送の追加または削除、あるいは放送周波数の変更がされた場合に、前記デジタル放送送信装置から前記デジタル放送受信機に対してチャネルサーチの実行を促す告知情報として、前記デジタル放送送信装置から送信されるトランスポートストリーム中の番組配列情報に記載されるバージョン番号の更新を用いる
ことを特徴とするチャネルサーチ告知方法。
【請求項２】
請求項１に記載のチャネルサーチ告知方法において、
前記番組配列情報に記載されるバージョン番号はチャネルサーチの実行告知を示す特定のバージョン番号に更新される
ことを特徴とするチャネルサーチ告知方法。
【請求項３】
請求項１または請求項２に記載のチャネルサーチ告知方法において、
前記番組配列情報はＮＩＴ（Ｎｅｔｗｏｒｋ  Ｉｎｆｏｒｍａｔｉｏｎ  Ｔａｂｌｅ）である
ことを特徴とするチャネルサーチ告知方法。
【請求項４】
請求項３に記載のチャネルサーチ告知方法において、
前記デジタル放送送信装置から送出されているすべてのＮＩＴのバージョン番号を更新する
ことを特徴とするチャネルサーチ告知方法。
【請求項５】
前記バージョン番号が更新される前の第１の番組配列情報と前記バージョン番号が更新された第２の番組配列情報との内容を比較する番組配列情報比較手段と、チャネルサーチを行い、サーチ結果から受信可能チャネルリスト情報を生成するチャネルサーチ手段を有するデジタル放送受信機であって、
請求項１または請求項３または請求項４に記載のチャネルサーチ告知を受信した際に、第１の番組配列情報と第２の番組配列情報を比較して、バージョン番号のみの更新であった場合にチャネルサーチ告知があったと判断する
ことを特徴とするデジタル放送受信機。
【請求項６】
請求項５に記載のデジタル放送受信機であって、
チャネルサーチ告知と判断した際に、自動的にチャネルサーチを行い、受信可能チャネルリスト情報を得る
ことを特徴とするデジタル放送受信機。
【請求項７】
請求項５に記載のデジタル放送受信機であって、
チャネルサーチ告知と判断した際に、チャネルサーチを促すメッセージを表示する
ことを特徴とするデジタル放送受信機。
【請求項８】
請求項７に記載のデジタル放送受信機において、
前記表示されたメッセージからチャネルスキャンを行うかどうかを選択できる
ことを特徴とするデジタル放送受信機。
【請求項９】
請求項５または請求項６に記載のデジタル放送受信機であって、
チャネルサーチ告知と判断した際に、前記デジタル放送受信機の電源が切られた際に自動的にチャネルサーチを行う
ことを特徴とするデジタル放送受信機。
【請求項１０】
請求項５〜請求項９に記載のデジタル放送受信機において、
チャネルサーチ前に前記チャネルサーチ手段により生成された第１の受信可能チャネルリスト情報とチャネルサーチ後の第２の受信可能チャネルリスト情報を比較し、受信可能チャネルリスト情報に変更があった場合にはメッセージを表示する
ことを特徴とするデジタル放送受信機。
【請求項１１】
請求項５〜請求項１０に記載のデジタル放送受信機において、
チャネルサーチ後に前記チャネルサーチ手段により生成された第２の受信可能チャネルリスト情報を新しい受信可能チャネルリスト情報として利用する
ことを特徴とするデジタル放送受信機。
【請求項１２】
請求項５〜請求項１０に記載のデジタル放送受信機において、
チャネルサーチ前に前記チャネルサーチ手段により生成された第１の受信可能チャネルリスト情報と、チャネルサーチ後に前記チャネルサーチ手段により生成された第２の受信可能チャネルリスト情報を合成して新しい受信可能チャネルリスト情報として利用する
ことを特徴とするデジタル放送受信機。
【発明の詳細な説明】
【技術分野】
【０００１】
本発明は、デジタル放送システムにおいて、放送運用内容の変更があった際に、容易かつ即座に告知できる告知方法および、デジタル放送受信機の使用者の利便性向上を図ったデジタル放送受信機に関するものである。
【背景技術】
【０００２】
現在放送されているデジタル放送として、ＢＳデジタル放送や東経１１０度ＣＳデジタル放送などがある。さらに、アナログ地上波放送の周波数帯を利用してデジタル放送を行う地上デジタル放送も開始されようとしている。
【０００３】
ＢＳデジタル放送や東経１１０度ＣＳデジタル放送では、すべての放送局の番組配列情報をひとつにまとめてすべての放送に同じ番組配列情報を伝送している（例えば、非特許文献１）。一方地上デジタル放送では、各放送局の番組配列情報をひとつにまとめることは困難なため、各局で独自に番組配列情報を生成し、伝送する方式となっている（例えば、非特許文献２）。そのため、地上デジタル放送対応の受信機では受信機を新しく設置する場合には、チャネルサーチを行い、設置時点で受信可能なチャネルをすべて受信してその情報を保存しておく必要がある。
【０００４】
しかしながら、設置時点では受信状況により受信できなかったチャネルが存在したり、新しく放送を開始する局が開局されたり、放送を開始していた局がチャネルプランを変更したりした場合、受信機はそれらの変更に対応が出来なくなってしまう。
【０００５】
そこでこれらの問題を回避するために、地上デジタル放送ではソフトウェアダウンロード告知情報と周波数リスト変更情報と呼ばれる情報などを送信して、受信機にチャネルサーチを促す方法を準備している（例えば、非特許文献２）。
【０００６】
また、受信機についても、上記の周波数リスト変更情報に対応するとともに、受信機の待機状態の時間を利用して、自動的にチャネルサーチを行い、常に最新の受信可能チャネルの更新を行うなどの機能が開発されている（例えば、特許文献１）。
【非特許文献１】ＢＳ／広帯域ＣＳデジタル放送運用規定  ＡＲＩＢ  ＴＲ−Ｂ１５  ２．３版（第二分冊）
【非特許文献２】地上デジタルテレビジョン放送運用規定  ＡＲＩＢ  ＴＲ−Ｂ１４  １．２版（第一分冊）
【特許文献１】特開２０００−３３２６３３号公報
【発明の開示】
【発明が解決しようとする課題】
【０００７】
現在、放送のデジタル化にともなって、放送の再送信を行うケーブルテレビについても同様にデジタル化が行われている。例えば地上デジタル放送では、ＯＦＤＭ変調された信号を６４ＱＡＭ変調の信号に変調変換し伝送するトランスモジュレーション方式という再送信方式が用いられようとしている。トランスモジュレーション方式では、ケーブルテレビ局独自のチャネルプランで放送を再送信することができ、番組配列情報であるＮＩＴの伝送周波数情報のみを書き換えて伝送している。したがって前記の周波数リスト変更情報に記載されたリスト情報とは異なる運用をケーブルテレビでは行うため、受信機では伝送される周波数リスト情報を利用して受信可能チャネルの更新を行うことが出来ない。
【０００８】
また、上記のような周波数リスト情報をケーブルテレビ局独自で生成して、伝送する方法も考えられるが、設備的に非常に大きなものとなり、実現は容易でない。
また、受信機において待機状態の時間を利用して自動的にチャネルサーチを行う場合については、視聴者あるいはケーブルテレビ局の意図しない時期に受信可能チャネル情報が更新されてしまう場合があったり、定期的にチャネルサーチを行うため受信機の消費電力の増大を招く可能性がある。
【０００９】
以上のような状況を鑑み、本発明は、放送の追加、削除やチャネルプランの変更など、運用に変更があった場合の告知方法を簡易に実現することを課題とし、これを解決した告知方法およびデジタル放送受信機を提供するものである。
【課題を解決するための手段】
【００１０】
このような課題を解決するために、本発明のチャネルサーチ告知方法は、デジタル放送を送信するデジタル放送送信装置と、デジタル放送を受信するデジタル放送受信機とを備えるデジタル放送システムにおいて、前記デジタル放送送信装置において放送の追加または削除、あるいは放送周波数の変更がされた場合に、前記デジタル放送送信装置から前記デジタル放送受信機に対してチャネルサーチの実行を促す告知情報として、前記デジタル放送送信装置から送信されるトランスポートストリーム中の番組配列情報に記載されるバージョン番号の更新を用いることを特徴とする。
【００１１】
また、前記チャネルサーチ告知方法において、前記番組配列情報に記載されるバージョン番号はチャネルサーチの実行告知を示す特定のバージョン番号に更新されることを特徴とする。
【００１２】
また、前記チャネルサーチ告知方法において、前記番組配列情報はＮＩＴ（Ｎｅｔｗｏｒｋ  Ｉｎｆｏｒｍａｔｉｏｎ  Ｔａｂｌｅ）であることを特徴とする。
また、前記チャネルサーチ告知方法において、前記デジタル放送送信装置から送出されているすべてのＮＩＴのバージョン番号を更新することを特徴とする。
【００１３】
また、本発明のデジタル放送受信機は、前記バージョン番号が更新される前の第１の番組配列情報と前記バージョン番号が更新された第２の番組配列情報との内容を比較する番組配列情報比較手段と、チャネルサーチを行い、サーチ結果から受信可能チャネルリスト情報を生成するチャネルサーチ手段を有するデジタル放送受信機であって、請求項１または請求項３または請求項４に記載のチャネルサーチ告知を受信した際に、第１の番組配列情報と第２の番組配列情報を比較し、バージョン番号のみの更新であった場合にチャネルサーチ告知があったと判断することを特徴とする。
【００１４】
また、チャネルサーチ告知と判断した際に、自動的にチャネルサーチを行い、受信可能チャネルリスト情報を得ることを特徴とする。
また、チャネルサーチ告知と判断した際に、チャネルサーチを促すメッセージを表示することを特徴とする。
【００１５】
また、前記表示されたメッセージからチャネルスキャンを行うかどうかを選択できることを特徴とする。
また、チャネルサーチ告知と判断した際に、前記デジタル放送受信機の電源が切られた際に自動的にチャネルサーチを行うことを特徴とする。
【００１６】
また、チャネルサーチ前に前記チャネルサーチ手段により生成された第１の受信可能チャネルリスト情報とチャネルサーチ後の第２の受信可能チャネルリスト情報を比較し、受信可能チャネルリスト情報に変更があった場合にはメッセージを表示することを特徴とする。
【００１７】
また、チャネルサーチ後に前記チャネルサーチ手段により生成された第２の受信可能チャネルリスト情報を新しい受信可能チャネルリスト情報として利用することを特徴とする。
【００１８】
また、チャネルサーチ前に前記チャネルサーチ手段により生成された第１の受信可能チャネルリスト情報と、チャネルサーチ後に前記チャネルサーチ手段により生成された第２の受信可能チャネルリスト情報を合成して新しい受信可能チャネルリスト情報として利用することを特徴とする。
【００１９】
本発明はまた、上記チャネルサーチ告知方法を実施するデジタル放送送信装置あるいはデジタル放送送信システムを含有する。
本発明はまた、上記チャネルサーチ告知方法を実施するためのプログラム、またはこれを記録した記録媒体を含有する。
【発明の効果】
【００２０】
本発明によれば、放送の追加、削除が行われた場合や、放送のチャネルプランが変更になった場合でも、簡易な方法でかつ即座に変更の告知を行うことができるようになる。
【００２１】
また、放送視聴者は、煩わしい操作を必要とせず、常に最新の受信可能チャネルを取得することが出来る。
また、デジタル放送受信機においては、使用者の意図しない時期に、チャネルサーチなどの動作をする必要がなく、電力消費の低減を図ることも可能となる。
【発明を実施するための最良の形態】
【００２２】
以下、本発明の実施の形態を、図面を参照しながら説明する。
（実施の形態１）
図１は、本発明の実施の形態における番組配列情報のバージョン番号更新の一例である。図１において、１０１〜１０４はデジタル放送を送信するデジタル放送送信装置、１００１〜１００４はデジタル放送送信装置１０１〜１０４から送信される番組配列情報、２００はデジタル放送送信装置１０１〜１０４の運用状態を記憶し、番組配列情報１００１〜１００４のバージョン番号を管理する番組配列情報バージョン情報管理部、３００はデジタル放送を受信するデジタル放送受信機である。
【００２３】
図１においてデジタル放送送信装置１０４から新たにデジタル放送の送信を開始した場合について説明する。デジタル放送送信装置１０４から放送が開始された際には、デジタル放送受信機３００にチャネルサーチの必要性の告知を行うために、番組管理情報１００１〜１００４のバージョン番号を管理する番組配列情報バージョン情報管理部２００で各番組配列情報１００１〜１００４のバージョン番号の更新処理を行う。
【００２４】
図２は、本発明の実施の形態における、デジタル放送受信機のチャネルスキャン告知処理のフローチャートを示したものである。
デジタル放送受信機３００では、デジタル放送送信装置１０３から送信される放送を視聴しているものとする。
【００２５】
番組配列情報１００１〜１００４のバージョン番号が更新されると、デジタル放送受信機３００はバージョン番号の更新を検出する（ステップＳ１００３）。バージョンの更新を検出すると、更新前の番組配列情報と更新された番組配列情報を比較する（ステップＳ１００４）。比較結果が、バージョン番号のみ異なる結果となった場合には、チャネルスキャンの告知があったものと判断し、視聴者にチャネルスキャンを促すメッセージを表示する（ステップＳ１００６）。なお、比較結果がバージョン番号以外も異なる結果となった場合は、通常の番組配列情報の更新と判断し、通常動作に移行する（ステップＳ１０１０）。チャネルスキャンを促すメッセージ表示により視聴者がチャネルスキャンの即時実行に同意した場合、即時にチャネルスキャンを実行する（ステップＳ１００８）。チャネルスキャンの即実行には同意しないが、後で自動的にスキャンを実行することに同意した場合には、デジタル放送受信機３００の電源をＯＦＦされたタイミングで自動的にチャネルスキャンを実行する（ステップＳ１０１２）。チャネルスキャンを実行した後は、受信可能なチャネルリストを更新する（ステップＳ１００９）。また、チャネルスキャンの実行に同意されなかった場合には通常動作に移行する（ステップＳ１０１１）。
【００２６】
以上のように、放送の運用が変更された場合に、デジタル放送受信機３００に即座かつ簡易に変更の告知を行い，チャネルサーチを促すことが出来るようになる。またデジタル放送受信機３００においても、視聴者の意図した内容でチャネルスキャンすることができ、常に最新の受信可能チャネルリストを更新することが出来る。
【００２７】
また、この例では、デジタル放送送信装置１０３からの放送を視聴中のデジタル放送受信機３００について説明したが、運用変更時にはすべての番組配列情報のバージョン番号を更新するので、どの放送を視聴していても同様の効果が得られるのは言うまでもない。
【００２８】
（実施の形態２）
図３は、本発明の実施の形態における受信可能チャネルリスト情報更新のフローチャートを示したものである。
チャネルサーチ告知があった際に自動チャネルスキャンを実行する（ステップＳ２００１）。スキャン実行後、受信可能チャネルリストを生成する（ステップＳ２００２）。生成された受信可能チャネルリストと、以前の受信可能チャネルリストを比較する（ステップＳ２００３）。リストを比較して、以前のリストに存在し新しいリストに存在しないチャネルがあった場合には、そのチャネルを新しいリストへ追加しなおす処理を行う（ステップＳ２００５）。追加しなおされたチャネルを含めた新しい受信可能チャネルリストを更新する（ステップＳ２００６）。なお、以前のリストに存在し新しいリストに存在しないチャネルが無い場合には、そのまま受信可能チャネルリストを更新すれば良い（ステップＳ２００６）。
【００２９】
以上により、自動チャネルスキャン実行時に、放送の受信状態等の影響で本来存在すべきチャネルのリストが生成されなかった場合にも、以前の正しいチャネルリストから存在すべきチャネルのリストを追加することができ、受信状態によらず最新の受信可能チャネルリストの更新が行えることになる。
【産業上の利用可能性】
【００３０】
本発明のチャネルサーチ告知方法は、放送の追加、削除あるいは放送の周波数の変更があった場合に、簡易に変更の告知を行う場合などに有用である。また、本発明のデジタル放送受信機は前記告知により、視聴者の手間をとらずに受信可能なチャネルリスト情報を更新することができ、デジタル放送受信機等として有用である。
【図面の簡単な説明】
【００３１】
【図１】本発明の実施の形態１に係る、番組配列情報のバージョン番号更新の一例。
【図２】本発明の実施の形態１に係る、デジタル放送受信機のチャネルスキャン告知処理のフローチャート。
【図３】本発明の実施の形態２に係る、受信可能チャネルリスト情報更新のフローチャート。
【符号の説明】
【００３２】
１０１〜１０４    デジタル放送送信装置
２００    番組配列情報バージョン情報管理部
３００    デジタル放送受信機
１００１〜１００４    番組配列情報
【図１】
2005057404.tif 000003
【図２】
2005057404.tif 000004
【図３】
2005057404.tif 000005